(57)【要約】      （修正有）【課題】災害や事故の発生により一つのインターネット回線が不通になっても業務の継続を図ることが出来るＷｅｂ−ＰＯＳシステムを提供する。【解決手段】Ｗｅｂ−ＰＯＳクライアント装置を含むＬＡＮに、インターネット回線の接続状況を確認する回線確認装置を有する補助サーバー装置を設け、この回線確認装置に対して、二以上のインターネット回線を通じて主サーバー装置を接続し、これらのインターネット回線中の一のインターネット回線による交信が、回線確認装置において確認できない場合には、他のインターネット回線でＷｅｂ−ＰＯＳクライアント装置とＷｅｂ−ＰＯＳ主サーバー装置とを交信させることにより、ＰＯＳシステムを構成する。【選択図】図１
2013137666.tif 000002
【特許請求の範囲】
【請求項１】
インターネットを介してＷｅｂ−ＰＯＳ主サーバー装置と一以上のＷｅｂ−ＰＯＳクライアント装置とが接続され、ＷｅｂブラウザによってＰＯＳ機能が実現されるＷｅｂ−ＰＯＳシステムにおいて、
前記クライアント装置を含むＬＡＮに、インターネット回線の接続状況を確認する回線確認装置を有する補助サーバー装置を設け、
前記回線確認装置に対して、前記ＬＡＮを構成するクライアント装置を接続すると共に、
二以上のインターネット回線を通じて前記主サーバー装置を接続し、
さらに前記二以上のインターネット回線中の、一のインターネット回線による前記主サーバー装置と前記クライアント装置との交信が、前記回線確認装置において確認できない場合には、
前記補助サーバー装置が、前記二以上のインターネット回線中の、他のインターネット回線で前記クライアント装置と前記主サーバー装置とを交信させることにより、
ＰＯＳシステムを構成することを特徴とするＷｅｂ−ＰＯＳネットワークシステム。
【請求項２】
前記補助サーバー装置が、前記主サーバー装置からＰＯＳデータを取得すると共に、
前記回線確認装置が、前記主サーバー装置との交信を前記二以上のインターネット回線のすべてで確認できないときは、
前記補助サーバー装置が、前記クライアント装置と交信して、取得された前記ＰＯＳデータを利用してＰＯＳシステムを構成することを特徴とする請求項１に記載のＷｅｂ−ＰＯＳネットワークシステム。
【請求項３】
インターネットを介して接続したＷｅｂ−ＰＯＳ主サーバー装置と一以上のＷｅｂ−ＰＯＳクライアント装置とを、Ｗｅｂブラウザを用いてＰＯＳシステムとして機能させるためのＷｅｂ−ＰＯＳシステム用プログラムにおいて、
このＷｅｂ−ＰＯＳシステムでは、前記クライアント装置を含むＬＡＮに、インターネット回線の接続状況を確認する回線確認装置を有する補助サーバー装置を設けると共に、
前記回線確認装置に対して、前記ＬＡＮを構成するクライアント装置を接続し、
かつ、二以上のインターネット回線を通じて前記主サーバー装置を接続しており、
さらに、前記二以上のインターネット回線中の、一のインターネット回線による前記主サーバー装置と前記クライアント装置との交信を前記回線確認装置において確認する手段、
この交信が確認できない場合には、前記補助サーバー装置が、前記二以上のインターネット回線中の、他のインターネット回線で前記クライアント装置と前記主サーバー装置とを交信させる手段、
として前記Ｗｅｂ−ＰＯＳシステムを機能させることを特徴とするＷｅｂ−ＰＯＳネットワークシステム用プログラム。
【請求項４】
前記補助サーバー装置が、前記主サーバー装置からＰＯＳデータを取得すると共に、
前記回線確認装置で前記主サーバー装置との交信を前記インターネット回線のすべてにおいて確認する手段、
これら全ての交信が確認できない場合には、前記クライアント装置と前記補助サーバー装置とで交信を行い、前記ＰＯＳデータを利用してＰＯＳシステムを構成する手段、
として前記Ｗｅｂ−ＰＯＳシステムを機能させることを特徴とする請求項３に記載のＷｅｂ−ＰＯＳネットワークシステム用プログラム。
【発明の詳細な説明】
【技術分野】
【０００１】
本発明は、インターネットを介したＷｅｂ−ＰＯＳシステムに関するものである。
【背景技術】
【０００２】
ＰＯＳ（Point of Sales）システムは、小売店を中心として広く普及しているものの、リアルタイムな管理を実現するためには、このシステムのための専用のサーバー・専用の端末・専用の通信線等を設ける必要があり、従来低価格で実現することが困難なものであった。そのため小売店等には大きな負担となっていた。これに対しＰＯＳシステムの低価格化が進められ、汎用ＯＳを利用したＰＣ−ＰＯＳシステムの普及を経て、現在は常時接続のインターネットサービスを利用した安価なＷｅｂ−ＰＯＳシステムが普及しつつある。
【０００３】
特許文献１にあるようにＷｅｂ−ＰＯＳシステムは、Ｗｅｂサーバー装置とＷｅｂクライアント装置とを接続する通信回線としてインターネット常時接続回線を使用し、Ｗｅｂブラウザを用いてＰＯＳシステムが実現されるもので、（１）遠隔地にあるＷｅｂサーバー装置からＷｅｂクライアント装置に業務画面を配信できる機能、（２）Ｗｅｂサーバー装置側での商品情報（ＰＬＵ  Plice look up）や各種マスター情報の一元管理ができる機能を有するのが一般的である。
【０００４】
これらの機能によりＰＯＳシステムの使用者は、ＰＯＳソフトウェアの保守コストの低減、情報のリアルタイム管理、汎用端末の使用（専用端末の開発費削減）のメリットを享受できる。
【先行技術文献】
【特許文献】
【０００５】
【特許文献１】特許第４５７９３３６号公報
【発明の概要】
【発明が解決しようとする課題】
【０００６】
Ｗｅｂ−ＰＯＳシステムは、低価格であることをはじめとして多くのメリットを有するが、安価な常時接続のインターネット回線を利用しているため、このインターネット回線が災害や自己により遮断されるとシステムが稼動しないという問題があった。
【課題を解決するための手段】
【０００７】
本発明は、上記課題を解決すべく次のような技術的手段を講じた。
すなわち、請求項１記載の発明は、インターネットを介してＷｅｂ−ＰＯＳ主サーバー装置と一以上のＷｅｂ−ＰＯＳクライアント装置とが接続され、ＷｅｂブラウザによってＰＯＳ機能が実現されるＷｅｂ−ＰＯＳシステムにおいて、前記クライアント装置を含むＬＡＮに、インターネット回線の接続状況を確認する回線確認装置を有する補助サーバー装置を設け、前記回線確認装置に対して、前記ＬＡＮを構成するクライアント装置を接続すると共に、二以上のインターネット回線を通じて前記主サーバー装置を接続し、さらに前記二以上のインターネット回線中の、一のインターネット回線による前記主サーバー装置と前記クライアント装置との交信が、前記回線確認装置において確認できない場合には、前記補助サーバー装置が、前記二以上のインターネット回線中の、他のインターネット回線で前記クライアント装置と前記主サーバー装置とを交信させることにより、ＰＯＳシステムを構成することを特徴とするＷｅｂ−ＰＯＳネットワークシステムである。
【０００８】
また、請求項２記載の発明は、前記補助サーバー装置が、前記主サーバー装置からＰＯＳデータを取得すると共に、前記回線確認装置が、前記主サーバー装置との交信を前記二以上のインターネット回線のすべてで確認できないときは、前記補助サーバー装置が、前記クライアント装置と交信して、取得された前記ＰＯＳデータを利用してＰＯＳシステムを構成することを特徴とする請求項１に記載のＷｅｂ−ＰＯＳネットワークシステムである。
【０００９】
また、請求項３記載の発明は、インターネットを介して接続したＷｅｂ−ＰＯＳ主サーバー装置と一以上のＷｅｂ−ＰＯＳクライアント装置とを、Ｗｅｂブラウザを用いてＰＯＳシステムとして機能させるためのＷｅｂ−ＰＯＳシステム用プログラムにおいて、このＷｅｂ−ＰＯＳシステムでは、前記クライアント装置を含むＬＡＮに、インターネット回線の接続状況を確認する回線確認装置を有する補助サーバー装置を設けると共に、前記回線確認装置に対して、前記ＬＡＮを構成するクライアント装置を接続し、かつ、二以上のインターネット回線を通じて前記主サーバー装置を接続しており、さらに、前記二以上のインターネット回線中の、一のインターネット回線による前記主サーバー装置と前記クライアント装置との交信を前記回線確認装置において確認する手段、この交信が確認できない場合には、前記補助サーバー装置が、前記二以上のインターネット回線中の、他のインターネット回線で前記クライアント装置と前記主サーバー装置とを交信させる手段、として前記Ｗｅｂ−ＰＯＳシステムを機能させることを特徴とするＷｅｂ−ＰＯＳネットワークシステム用プログラムである。
【００１０】
また、請求項４記載の発明は、前記補助サーバー装置が、前記主サーバー装置からＰＯＳデータを取得すると共に、前記回線確認装置で前記主サーバー装置との交信を前記インターネット回線のすべてにおいて確認する手段、これら全ての交信が確認できない場合には、前記クライアント装置と前記補助サーバー装置とで交信を行い、前記ＰＯＳデータを利用してＰＯＳシステムを構成する手段、として前記Ｗｅｂ−ＰＯＳシステムを機能させることを特徴とする請求項３に記載のＷｅｂ−ＰＯＳネットワークシステム用プログラムである。
【発明の効果】
【００１１】
請求項１記載の発明によれば、Ｗｅｂ−ＰＯＳ主サーバー装置を二以上のインターネット回線を通じて接続して、一のインターネット回線による交信が確認できない場合には、他のインターネット回線で交信しＰＯＳシステムを構成することにより、災害や事故の発生により一つのインターネット回線が不通となっても、他の回線を利用することでＰＯＳシステムを利用した業務の継続を図ることができる。これによりＰＯＳシステムの信頼性を上げることができる。
【００１２】
請求項２記載の発明によれば、Ｗｅｂ−ＰＯＳ主サーバー装置との交信がインターネット回線のすべてにおいて確認できないときは、補助サーバー装置とＷｅｂ−ＰＯＳクライアント装置とでＰＯＳシステムを構成することにより、請求項１に記載の発明の効果に加えて、Ｗｅｂ−ＰＯＳ主サーバーが故障した場合であっても業務の継続を図ることができ、よりＰＯＳシステムの信頼性を高めることができる。
【００１３】
請求項３記載の発明によれば、請求項１に記載の発明を実現するプログラムにより、信頼性を高めたＰＯＳシステムのプログラムを提供することができる。
【００１４】
請求項４記載の発明によれば、請求項２に記載の発明を実現するプログラムにより、より信頼性を高めたＰＯＳシステムのプログラムを提供することができる。
【図面の簡単な説明】
【００１５】
【図１】本発明の第一実施形態に係るＷｅｂ−ＰＯＳシステムの機能ブロック図である。
【図２】Ｗｅｂ−ＰＯＳシステムを用いた取引のフローチャートである。
【図３】本発明の第一実施形態に係るＷｅｂ−ＰＯＳシステムの処理を示すフローチャートである。
【発明を実施するための形態】
【００１６】
上記技術思想に基づいて具体的に構成された実施の形態について以下に図面を参照しつ
つ説明する。
【００１７】
図１は、本発明の一実施形態に係るＷｅｂ−ＰＯＳシステムの全体構成の機能ブロック図である。
【００１８】
本発明に係るＷｅｂ−ＰＯＳシステムは、Ｗｅｂ−ＰＯＳ主サーバー装置２１と一以上のＷｅｂ−ＰＯＳクライアント装置３０がインターネット２９を介して接続され、Ｗｅｂ−ＰＯＳクライアント装置３０にインストールされたＷｅｂブラウザを用いてＰＯＳ機能が実現される。
【００１９】
通常Ｗｅｂ−ＰＯＳ主サーバー装置２１は、複数の店舗を管理する会社においてその本社機能を有する施設や専用のデーターセンター等に設置され、Ｗｅｂ−ＰＯＳクライアント装置３０はその複数の店舗それぞれに十数台程度備え、例えば各店員ごとにその装置が配備される。図１にはＷｅｂ−ＰＯＳ主サーバー装置２１が一台と、店舗ごとに構築する一つのＬＡＮとが、二つのインターネット回線２９（１８，１９）を通じて接続されている状態を示している。
【００２０】
一店舗内に構成したＬＡＮには、Ｗｅｂ−ＰＯＳクライアント装置３０である入力装置１、入出力装置４、出力装置７を接続すると共に、補助サーバー装置１０に設けられてインターネット回線２９の接続状況を確認する回線確認装置１１を接続する。ここで入力装置１としてはバーコードリーダー２やキーボード３などがあり、入出力装置４としてはタブレット型コンピュータ５やＰＤＡ機能を有する携帯電話（いわゆるスマートフォン６）などが該当し、また出力装置７としてはレシートプリンター８やレジスタードロアー９などが該当する。入出力装置４は双方向通信が可能であり、Ｗｅｂブラウザがインストールされインターネットを参照することが可能であるとともに、ソフトウェアのインストールによる機能の追加が可能となっている端末である必要がある。図１には入出力装置４は１台のみを示しているが、通常複数台の入出力装置４がＬＡＮに接続されている。
【００２１】
補助サーバー装置１０は制御装置１６と、プログラム記憶装置１４及びデータ記憶装置１５など複数の記憶装置とを設け、それら記憶装置に接続する入力インターフェイス１２、及び制御装置１６に接続する出力インターフェイス１３とを有し、それらのインターフェイスを介して回線確認装置１１と接続する。補助サーバー装置１０には図示しない無停電電源装置を備え、停電等により外部からの電力が供給されない事態になっても数時間補助サーバー装置１０が稼動できるようにしている。回線確認装置１１は補助サーバー装置１０に付属するＰＣカード等の形態を採用するものや、ルーター内で別個独立して電源が必要なものがあるが、外部からの電力供給が遮断されたときは、補助サーバー装置１０に備えた無停電電源装置により稼動可能な構成となっている。
【００２２】
また、ＬＡＮには回線選択装置１７を併せて接続する。回線選択装置１７は前記の回線確認装置１１に接続すると共に、外部の複数のインターネット回線２９と接続している。回線選択装置１１の電源は補助サーバー装置１０のものとは独立して設ける。
【００２３】
Ｗｅｂ−ＰＯＳ主サーバー装置２１を設置する施設は、Ｗｅｂ−ＰＯＳクライアント装置３０を含むＬＡＮを設置する施設とは離れて設置する場合が多く、一つのＬＡＮとＷｅｂ−ＰＯＳ主サーバー装置２１とは複数のインターネット回線２９で接続する。この場合、インターネット回線１８は光ファイバーによる回線であり、インターネット回線１９はＡＤＳＬ回線というように異なった種類の回線で接続する。Ｗｅｂ−ＰＯＳ主サーバー装置２１は制御装置２６と、プログラム記憶装置２４及びデータ記憶装置２５など複数の記憶装置とを設け、それらの記憶装置に接続する入力インターフェイス２２、及び制御装置２６に接続する出力インターフェイス２３とを有し、それらのインターフェイスを介して回線選択装置２０と接続する。
【００２４】
Ｗｅｂ−ＰＯＳ主サーバー装置２１のプログラム記憶装置２４にはＷｅｂ−ＰＯＳクライアント装置３０に業務画面を配信してＰＯＳシステムを実現するＰＯＳプログラム等を記憶し、データ記憶装置１５にはＰＬＵ（商品情報）や各種マスター情報のＰＯＳ情報を記憶するようにする。そして非常時以外はＷｅｂ−ＰＯＳクライアント装置３０とＷｅｂ−ＰＯＳ主サーバー装置２１とが交信することによってＷｅｂ−ＰＯＳシステムを実現する。このようにすることでシステムの使用者はＰＯＳソフトウェアの保守コストの低減、情報のリアルタイム管理、汎用端末の使用（専用端末の開発費削減）のメリットを享受できる。
【００２５】
Ｗｅｂ−ＰＯＳ主サーバー装置２１内に二つの記憶装置を設けたのは、記憶装置の破損などのハードトラブルによる損害を回避したり、外部からの不正アクセスに対するセキュリティを高めたりするためである。
【００２６】
また補助サーバー装置１０には、Ｗｅｂ−ＰＯＳ主サーバー装置２１の記憶装置の内容をミラーリングした記憶装置を装備し、補助サーバー装置１０におけるＰＯＳデータは数秒に一回程度の周期でＷｅｂ−ＰＯＳ主サーバー装置２１のデータ内容に更新するようにする。
【００２７】
Ｗｅｂ−ＰＯＳシステムを用いた取引のフローチャートを図２に示し、通常のＷｅｂ−ＰＯＳシステムの使用方法を説明する。（ａ）は飲食店の店舗等において、Ｗｅｂ−ＰＯＳシステムを使用した場合のフローチャートであり、（ｂ）は小売店の店舗等においてのフローチャートである。
【００２８】
図２（ａ）を用いて飲食店の店舗におけるフローを説明する。飲食店の店舗においてはまず事前の準備として店員がＷｅｂ−ＰＯＳクライアント装置３０の一つであるスマートフォン４からインターネット回線１８を通じて、Ｗｅｂ−ＰＯＳ主サーバー装置２１上の特定のＵＲＬを入力し、ＵＲＬに接続するとＷｅｂ−ＰＯＳ主サーバー装置２１が所定の画面を表示するためのデータを送信する（Ｓ５１）。この画面上においてＷｅｂ−ＰＯＳクライアント装置３０の使用者である店員が、Ｓ５２としてその担当者番号を入力しＷｅｂ−ＰＯＳ主サーバー装置２１がそれを認証することによってその店舗で使用される画面が表示されるようになる。その画面には、店舗内の空席の情報、商品画像や商品の価格等のデータが表示される。
【００２９】
飲食店の利用者がその飲食店を訪れると、店員はスマートフォン６の画面から店舗内の空席情報を確認し、その席へ利用者を案内する（Ｓ５３）。その際店員は案内した店舗内の席番号と利用者情報をスマートフォン６の画面から入力する（Ｓ５４）。利用者情報とは利用者の性別、年齢などであり、それらの情報をスマートフォン６からＷｅｂ−ＰＯＳ主サーバー装置２１へ送信し、Ｗｅｂ−ＰＯＳ主サーバー装置２１のデータ記憶装置２５に蓄積する。一般にＷｅｂ−ＰＯＳシステムにおいてはこのようにＷｅｂ−ＰＯＳクライアント装置３０は入出力を行うのみで、Ｗｅｂ−ＰＯＳ主サーバー装置２１に全ての情報を蓄積する。
【００３０】
飲食店利用者からの注文があると、店員はスマートフォン６の画面から商品名、その数量を入力してＷｅｂ−ＰＯＳ主サーバー装置２１に送信し、その入力情報からＷｅｂ−ＰＯＳ主サーバー装置２１は調理場などの担当部門にあるＷｅｂ−ＰＯＳクライアント装置３０に対してその情報を送信し画面等に表示する（Ｓ５５）。飲食店利用者からの注文について店員がその注文を受ける場合を記載したが、例えば案内されたテーブルに設置のタブレット型コンピュータ５等によって飲食店利用者自らが注文するような場合もある。
【００３１】
飲食店利用者のもとへ商品である食事が届けられる（Ｓ５６）。そして、店員が食事終了後飲食店利用者から代金を受領する際に、スマートフォン６からその情報をＷｅｂ−ＰＯＳ主サーバー装置２１に送信すると、その情報を受けたＷｅｂ−ＰＯＳ主サーバー装置２１からＷｅｂ−ＰＯＳクライアント装置３０であるキャッシュドロアー９やレシートプリンター８などの出力装置へ情報が送信され、キャッシュドロアー９が開き店員は代金をその中に収納したり、おつりを飲食店利用者に渡したり、レシートプリンター８から出力されたレシートを渡したりする（Ｓ５７）。
【００３２】
図２（ｂ）を用いて小売店の店舗におけるフローを説明する。まず事前の準備は飲食店における場合と同様である（Ｓ６１）。画面上においてＷｅｂ−ＰＯＳクライアント装置３０の使用者である店員が、Ｓ６２としてその担当者番号を入力しＷｅｂ−ＰＯＳ主サーバー装置２１がそれを認証することによってその店舗で使用される画面が表示されるようになる。その画面には、店舗内の商品画像や商品の価格等のデータが表示される。
【００３３】
小売店の利用者がその小売店を訪れ、店員が配置されたレジに購入予定の商品を持っていくと、店員はスマートフォン６の画面から利用者情報を入力しＷｅｂ−ＰＯＳ主サーバー装置２１に送信する（Ｓ６３）。加えて利用者が持ってきた購入予定の商品に印刷されているバーコードからバーコードリーダー２を用いて商品情報を読み取ると共に数量を入力し、Ｗｅｂ−ＰＯＳ主サーバー装置２１に送信する（Ｓ６４）。そしてスマートフォン６の画面から入力した受領代金の情報をＷｅｂ−ＰＯＳ主サーバー装置２１に送信する（Ｓ６５）と、Ｗｅｂ−ＰＯＳ主サーバー装置２１からの指令によりレシートプリンター８でレシートが印刷されると共に、キャッシュドロアー９が開き店員は決済を行うと同時に商品を利用者に手渡す（Ｓ６６）。そして必要に応じて売上げ等の集計を確認する（Ｓ６７）。
【００３４】
本実施形態に係るＷｅｂ−ＰＯＳシステムの作動状態を説明する。まずステップ１０１（以下Ｓ１０１と表記する）において、補助サーバー装置１０上の回線確認装置１１が、Ｗｅｂ−ＰＯＳクライアント装置３０とＷｅｂ−ＰＯＳ主サーバー装置２１との交信ができているかを確認する。具体的にはＷｅｂ−ＰＯＳクライアント装置３０にインストールされたＰＩＮＧを用いてその交信を確認する。
【００３５】
Ｓ１０１においてＷｅｂ−ＰＯＳ主サーバー装置２１とＷｅｂ−ＰＯＳクライアント装置３０がネットワーク上で交信できることが確認できた場合は、補助サーバー装置１０又はルーターの回線確認装置１１が、主回線となるインターネット回線１８を使用しているかどうかを確認し（Ｓ１０２）、ＹｅｓであればＳ１０３に進む。このＳ１０２における確認は主に瞬間的な停電等により一時的に回線が遮断した場合を考慮して行われるものである。Ｓ１０３ではＷｅｂ−ＰＯＳクライアント装置３０がＷｅｂ−ＰＯＳ主サーバー装置２１を使用しているかを、補助サーバー装置１０が確認し、ＹｅｓであればＷｅｂ−ＰＯＳシステムは、通常の使用方法で使用される（Ｓ１０４）。
【００３６】
Ｓ１０１でＷｅｂ−ＰＯＳ主サーバー装置２１とＷｅｂ−ＰＯＳクライアント装置３０がネットワーク上で交信できることが確認できない場合は、Ｓ２００で補助サーバー装置１０又はルーターの回線確認装置１１が、ＬＡＮ上にある回線選択装置１７により使用回線を他のインターネット回線であるインターネット回線１９に切り替える。Ｓ２０１において補助サーバー装置１０における回線確認装置１１が、Ｗｅｂ−ＰＯＳクライアント装置３０とＷｅｂ−ＰＯＳ主サーバー装置２１との交信ができているかを確認する。Ｓ２０１においてＷｅｂ−ＰＯＳ主サーバー装置２１とＷｅｂ−ＰＯＳクライアント装置３０がネットワーク上で交信できることが確認できた場合は、Ｗｅｂ−ＰＯＳ主サーバー装置２１がインターネット回線１８にトラブルがある旨の警告をそのディスプレイ上に表示すると共にＷｅｂ−ＰＯＳクライアント装置３０に向けてその情報を送信しそのディスプレイ上に表示する（Ｓ２０２）。それに併せて、Ｗｅｂ−ＰＯＳクライアント装置３０はＷｅｂ−ＰＯＳ主サーバー装置２１とインターネット回線１９を使用して交信し、Ｗｅｂ−ＰＯＳシステムを通常の使用方法で使用する（Ｓ２０３）。
【００３７】
Ｓ１０２において、補助サーバー装置１０又はルーターの回線確認装置１１が、主回線となるインターネット回線１８を使用しているかどうかを確認し、ＮｏであればＳ３０１に進む。Ｓ３０１ではインターネット回線１８が正常に接続しているかを確認し、Ｙｅｓであればインターネット回線１８を使用して交信を行い（Ｓ３０２）、Ｗｅｂ−ＰＯＳシステムは、通常の使用方法で使用される（Ｓ１０４）。Ｎｏであれば、Ｗｅｂ−ＰＯＳ主サーバー装置２１がインターネット回線１８にトラブルがある旨の警告をそのディスプレイに表示すると共にＷｅｂ−ＰＯＳクライアント装置３０に向けてその情報を送信しそのディスプイ上に表示する（Ｓ３０３）。併せて、Ｗｅｂ−ＰＯＳクライアント装置３０はＷｅｂ−ＰＯＳ主サーバー装置２１とインターネット回線１９を使用して交信し、Ｗｅｂ−ＰＯＳシステムを通常の使用方法で使用する（Ｓ３０４）。
【００３８】
Ｗｅｂ−ＰＯＳ主サーバー装置２１を二以上のインターネット回線２９を通じて接続して、一のインターネット回線による交信が確認できない場合には、他のインターネット回線で交信しＰＯＳシステムを構成することにより、災害や事故の発生により一つのインターネット回線が不通となっても、他の回線を利用することでＰＯＳシステムを利用した業務の継続を図ることができる。これによりＰＯＳシステムの信頼性を上げることができる。
【００３９】
Ｓ１０３において、Ｗｅｂ−ＰＯＳクライアント装置３０がＷｅｂ−ＰＯＳ主サーバー装置２１を使用しているかを、補助サーバー装置１０の回線確認装置１１が確認し、ＮｏであればＳ４０１へ進む。Ｓ４０１において補助サーバー装置１０の回線確認装置１１が、Ｗｅｂ−ＰＯＳクライアント装置３０とＷｅｂ−ＰＯＳ主サーバー装置２１との交信ができるかを判断し、交信ができていると確認できる場合はＷｅｂ−ＰＯＳ主サーバー装置と２１の交信を継続し（Ｓ４０２）、Ｗｅｂ−ＰＯＳシステムを通常の使用方法で使用する（Ｓ１０４）。交信ができていると確認できない場合は、Ｗｅｂ−ＰＯＳ主サーバー装置２１のトラブル発生の警告を、補助サーバー装置１０がＷｅｂ−ＰＯＳクライアント装置３０に表示し（Ｓ４０３）、Ｗｅｂ−ＰＯＳクライアント装置３０は補助サーバー装置１０とＬＡＮにより通信を行い、補助サーバー装置１０内のＰＯＳプログラムとＰＯＳデータを用いてＷｅｂ−ＰＯＳシステムを使用する（Ｓ４０４）。
【００４０】
Ｓ２０１において補助サーバー装置１０における回線確認装置１１が、Ｗｅｂ−ＰＯＳクライアント装置３０とＷｅｂ−ＰＯＳ主サーバー装置２１との交信ができているかを確認する。Ｓ２０１においてＷｅｂ−ＰＯＳ主サーバー装置２１とＷｅｂ−ＰＯＳクライアント装置３０がネットワーク上で交信できることが確認できなかった場合はＷｅｂ−ＰＯＳクライアント装置３０とＷｅｂ−ＰＯＳ主サーバー装置２１との交信を、補助サーバー装置１０が、Ｗｅｂ−ＰＯＳクライアント装置３０と補助サーバー装置１０との交信に切り替える（Ｓ５０１）。そしてＷｅｂ−ＰＯＳ主サーバー装置２１が、補助サーバー装置１０との交信ができるかをインターネット回線１９により行い（Ｓ５０２）、交信が可能であれば補助サーバー装置１０からＷｅｂ−ＰＯＳクライアント装置３０に対して、インターネット回線２９もしくはＷｅｂ−ＰＯＳサーバー装置２１のトラブルが発生したとの警告を発すると共に（Ｓ５０３）、Ｗｅｂ−ＰＯＳクライアント装置３０は補助サーバー装置１０とＬＡＮにより通信を行い、補助サーバー装置１０内のＰＯＳプログラムとＰＯＳデータを用いてＷｅｂ−ＰＯＳシステムを使用する（Ｓ５０４）。交信が確認できない場合、Ｗｅｂ−ＰＯＳ主サーバー装置２１は、そのディスプレイ上に警告を表示する（Ｓ５０５）。
【００４１】
補助サーバー装置１０が、Ｗｅｂ−ＰＯＳ主サーバー装置２１からＰＯＳデータを取得すると共に、回線確認装置１１においてインターネット回線２９の全てを通じて交信が確認できないときは、補助サーバー装置１０が、Ｗｅｂ−ＰＯＳクライアント装置３０と交信して、ＰＯＳシステムを構成することにより、Ｗｅｂ−ＰＯＳ主サーバー装置２１が故障した場合であっても業務の継続を図ることができ、更にＰＯＳシステムの信頼性を高めることができる。
【００４２】
本発明のＷｅｂ−ＰＯＳシステム用プログラムについて説明する。このＷｅｂ−ＰＯＳシステム用プログラムを用いるＷｅｂ−ＰＯＳシステムは、Ｗｅｂ−ＰＯＳクライアント装置３０を含むＬＡＮに、インターネット回線２９の接続状況を確認する回線確認装置１１を有する補助サーバー装置１０を設けると共に、この回線確認装置１１に対してＬＡＮを構成するＷｅｂ−ＰＯＳクライアント装置３０を接続し、かつ、二以上のインターネット回線２９を通じて前記主サーバー装置２１を接続している。このプログラムをＷｅｂ−ＰＯＳ主サーバー装置２１にインストールすると共に、補助サーバー装置１０にも事前にインストールする。
【００４３】
このＷｅｂ−ＰＯＳシステム用プログラムは、二以上のインターネット回線２９中の、一のインターネット回線によるＷｅｂ−ＰＯＳ主サーバー装置２１とＷｅｂ−ＰＯＳクライアント装置３０との交信を回線確認装置１１において確認する手段、この交信が確認できない場合には、前記補助サーバー装置１０が、前記二以上のインターネット回線２９中の、他のインターネット回線で前記クライアント装置３０と前記主サーバー装置２１とを交信させる手段、として前記Ｗｅｂ−ＰＯＳシステムを機能させることを特徴とする。このプログラムにより、信頼性を高めたＰＯＳシステムのプログラムを提供することができる。
【００４４】
また、本発明に係るＷｅｂ−ＰＯＳシステム用プログラムは、補助サーバー装置１０が、Ｗｅｂ−ＰＯＳ主サーバー装置２１からＰＯＳデータを取得すると共に、回線確認装置１１でＷｅｂ−ＰＯＳ主サーバー装置２１との交信をインターネット回線２９のすべてにおいて確認する手段、これら全ての交信が確認できない場合には、Ｗｅｂ−ＰＯＳクライアント装置３０と補助サーバー装置１０とで交信を行い、前記ＰＯＳデータを利用してＰＯＳシステムを構成する手段、として前記Ｗｅｂ−ＰＯＳシステムを機能させることを特徴とする。このプログラムにより、より信頼性を高めたＰＯＳシステムのプログラムを提供することができる。
【００４５】
本発明に係るＷｅｂ−ＰＯＳネットワークシステムで用いるＰＯＳデータには、生産者や卸業者のデータを含めることもできる。小売店の利用者が受け取るレシートに生産者や卸業者のデータを閲覧することができる確認番号・パスワードを印刷することで、利用者がＷｅｂ上から確認できる。また飲食店の利用者が受け取るレシートにも同様の情報を付加することや、飲食店でテーブルごとに設置されたタブレット型コンピュータ５上にその情報を表示することも可能である。このデータを含めることで生産者、卸業者、販売者、消費者と言う流通の川上から川下までの統一的な流通（トレーサビリティ）の情報を管理することができる。
【００４６】
小売店や飲食店で代金を利用者から受領する場合を示したが、クレジットカード番号と暗証番号を入力することでクレジットカードによる決済を行うことも可能であるし、スマートフォン６に付属するカメラ機能を用いたバーコードリーダー２を用いることも可能である。
【００４７】
飲食店の利用者が、自己のスマートフォン６をＷｅｂ−ＰＯＳクライアント装置３０とし、それを用いて店舗の中でオーダーと決済を行うシステムとすることも可能である。
【００４８】
本発明は「回線確認装置１１に対して、二以上のインターネット回線２９を通じてＷｅｂ−ＰＯＳ主サーバー装置２１を接続し」ているが、「一のインターネット回線」を通じて接続することも可能であり、その場合回線確認装置１１が、Ｗｅｂ−ＰＯＳ主サーバー装置２１との交信をその一のインターネット回線で確認できないときは、補助サーバー装置１０が、Ｗｅｂ−ＰＯＳクライアント装置３０と交信して、ＰＯＳシステムを構成することも可能である。この場合、回線を二つ用意する必要がなくなると共に、回線選択装置１１を設ける必要がなくなり、システムの信頼性を確保しながらもより安価にシステムを構成できる。
【符号の説明】
【００４９】
１  入力装置
２  バーコードリーダー
３  キーボード
４  入出力装置
５  タブレット型コンピュータ
６  スマートフォン
７  出力装置
８  レシートプリンター
９  レジスタードロアー
１０  補助サーバー
１１  回線確認装置
１２  入力インターフェイス
１３  出力インターフェイス
１４  プログラム記憶装置
１５  データ記憶装置
１６  制御装置
１７  回戦選択装置
１８，１９  インターネット回線
２０  回線選択装置
２１  Ｗｅｂ−ＰＯＳ主サーバー装置
２２  入力インターフェイス
２３  出力インターフェイス
２４  プログラム記憶装置
２５  データ記憶装置
２６  制御装置
２９  インターネット回線
３０  Ｗｅｂ−ＰＯＳクライアント装置
【図１】
2013137666.tif 000003
【図２】
2013137666.tif 000004
【図３】
2013137666.tif 000005